(57)【特許請求の範囲】
【請求項１】
昼間に太陽光発電を行うソーラーパネルと、
前記ソーラーパネルで発生した電力を蓄電する蓄電池と、
前記蓄電池を電源とする第１の照明手段および第２の照明手段と、
前記第１の照明手段および前記第２の照明手段を制御する点灯制御手段と、
所定領域に人がいるか否かを検知する人検知手段と、を備え、
前記第１の照明手段は、前記第２の照明手段よりも高い位置に設置されると共に、前記所定領域より遠方の照明を行い、
前記第２の照明手段は前記所定領域の照明を行い、
前記点灯制御手段は、
前記人検知手段が前記所定領域に人を検知するか否かに関係なく、夕方に前記第１の照明手段を点灯させ、
前記人検知手段により前記所定領域に人を検知しないときは、前記第１の照明手段の点灯を維持すると共に、前記第２の照明手段を点灯させず、又は、通常点灯時における照明率よりも低い所定の照明率で点灯させ、
前記人検知手段が前記所定領域に人を検知したときは、前記第１の照明手段の点灯を維持すると共に、前記第２の照明手段を、前記第２の照明手段が消灯している場合、前記通常点灯時における照明率よりも低い所定の照明率で点灯している場合のいずれの場合においても通常点灯させ、
朝方に前記第１の照明手段を消灯させる照明装置。
【発明の詳細な説明】
【技術分野】
【０００１】
本発明は、照明装置に関する。
【背景技術】
【０００２】
太陽光発電型蓄電池式照明装置（太陽光発電及び蓄電池を用いた照明装置）は、地球温暖化対策の照明装置として公共施設の屋外照明等に普及が予測されている。従来、この種の照明装置として、照明点灯後、蓄電池から照明装置への電力供給が所定時間経過したことをタイマーで検知し、通常の電力を消費する照明から消費電力の少ない照明へ切り替えることにより、トータルの消費電力量を削減するものが知られている（例えば特許文献１参照）。
【先行技術文献】
【特許文献】
【０００３】
【特許文献１】特開２００８−１３５３８１号公報（図１）
【発明の概要】
【発明が解決しようとする課題】
【０００４】
しかしながら、従来の太陽光発電及び蓄電池を用いた照明装置は、通常の照明から消費電力の少ない照明に切り替える前に、歩行者のいないときに点灯して電気を無駄に消費するため、消費電力が増大するという問題があった。また、通常の照明から消費電力の少ない照明に切り替えた後、歩行者に対して適切な明るさの照明を提供できないという問題があった。更に、上記のように、消費電力量が増大することから、ソーラーパネルや蓄電池が大型となり、この種の照明装置の普及の妨げになっていた。
【０００５】
本発明は、前述した課題を解決するためになされたものであり、その目的は、消費電力を削減でき、これにより、ソーラーパネルや蓄電池を小型化できると共に、歩行者等に対して適切な明るさの照明を提供できる照明装置を提供することにある。
【課題を解決するための手段】
【０００６】
本発明に係る照明装置は、昼間に太陽光発電を行うソーラーパネルと、前記ソーラーパネルで発生した電力を蓄電する蓄電池と、前記蓄電池を電源とする第１の照明手段および第２の照明手段と、前記第１の照明手段および前記第２の照明手段を制御する点灯制御手段と、所定領域に人がいるか否かを検知する人検知手段と、を備え、前記第１の照明手段は、前記第２の照明手段よりも高い位置に設置されると共に、前記所定領域より遠方の照明を行い、前記第２の照明手段は前記所定領域の照明を行い、前記点灯制御手段は、前記人検知手段が前記所定領域に人を検知するか否かに関係なく、夕方に前記第１の照明手段を点灯させ、前記人検知手段により前記所定領域に人を検知しないときは、前記第１の照明手段の点灯を維持すると共に、前記第２の照明手段を点灯させず、又は、通常点灯時における照明率よりも低い所定の照明率で点灯させ、前記人検知手段が前記所定領域に人を検知したときは、前記第１の照明手段の点灯を維持すると共に、前記第２の照明手段を、前記第２の照明手段が消灯している場合、前記通常点灯時における照明率よりも低い所定の照明率で点灯している場合のいずれの場合においても通常点灯させ、朝方に前記第１の照明手段を消灯させる。
【０００７】
本発明によれば、所定領域に人を検知した場合にのみ第２の照明手段を点灯して所定領域の照明を行うので、消費電力を削減できる。これにより、ソーラーパネル及び蓄電池を小型化できる。また、所定領域内に人がいる場合には、所定領域にいる歩行者等に対して適切な明るさの照明を提供できる。
【０００８】
ここで、前記点灯制御手段は、前記人検知手段が人を検知しないときは、前記第２の照明手段を消灯し又は所定の照明率で点灯させ、前記人検知手段が人を検知したときは前記所定の照明率より高い照明率で点灯させることができる。
【０００９】
この構成によれば、所定領域に人を検知しないときに第２の照明手段を消灯する場合は、消費電力を更に低減できる。また、人を検知しないときに第２の照明手段を所定の照明率で点灯させる場合は、所定領域にある程度の照明を提供しつつ消費電力を削減できる。
【００１０】
また、前記第１の照明手段は、前記第２の照明手段よりも高い位置に設置できる。
この構成によれば、第１照明装置で所定領域より遠方を照明する際に、高い位置から照明を行うので、より広い範囲に照明を行うことができる。
【発明の効果】
【００１１】
本発明の照明装置によれば、所定領域に人を検知した場合にのみ第２の照明手段で所定領域に照明を行うので、常時第２の照明手段を点灯する場合に比べて消費電力を低減できる。従って、ソーラーパネル及び蓄電池を小型化できる。また、所定領域に人がいるときには所定領域に適切な明るさの照明を提供できる。
【図面の簡単な説明】
【００１２】
【図１】図１（ａ）は本発明に係る第一実施形態の照明装置を示す図、図１（ｂ）は側面図
【図２】照明装置の制御方法を示すフローチャート
【図３】図３（ａ）は足元照明部を遠方照明部とは別の照明ポールに設けた図、図３（ｂ）は側面図
【図４】第二実施形態の照明装置を示す図
【発明を実施するための形態】
【００１３】
以下、本発明の実施形態に係る照明装置について、図面を参照して説明する。
【００１４】
（第１実施形態）
図１に示すように、本発明に係る第１実施形態の照明装置１０は、ソーラーパネル１１と、このソーラーパネル１１で発生した電力を蓄える蓄電池１２と、蓄電池１２を電源とする第１の照明手段である遠方照明部１３と、蓄電池１２を電源とする第２の照明手段である足元照明部１４と、遠方照明部１３及び足元照明部１４を制御する点灯制御手段としての制御部１５と、所定領域に人がいるか否かを検知する人検知手段である人センサー１６と、上記構成要素を支持する柱状の第１照明ポール１７と、を備えている。
【００１５】
次に、上記各構成要素について説明する。ソーラーパネル１１は、第１照明ポール１７の上端部に設けられている。このソーラーパネル１１は、太陽光発電に用いる太陽電池が複数接続されて板状に形成されている。
【００１６】
蓄電池１２は、第１照明ポール１７内の下部側に設けられている。この蓄電池１２は、一般的なものを使用できる。遠方照明部１３は、第１照明ポール１７の上部側に設けられ、足元照明部１４によって照明される所定領域より遠方の照明を行う。この遠方照明部１３は、ＬＥＤ（Light Emitting Diode）１３ａ及び電源ユニット１３ｂを有している。遠方照明部１３は、発光面が大きく、且つグレア（眩しさ）が小さく、遠方から良く認識できる光が好ましい。
【００１７】
足元照明部１４は、遠方照明部１３より低い位置に設けられ、第１照明ポール１７の比較的近傍で下方の路面上における所定領域を照明する。この足元照明部１４も、ＬＥＤ（Light Emitting Diode）１４ａ及び電源ユニット１４ｂを有している。ここでは、足元照明部１４は、少なくとも所定領域内における路面を歩行者に対して適切な照度で照明する。また、遠方照明部１３は、足元照明部１４より消費電力が少ないものを使用する。これらの足元照明部１４と遠方照明部１３とは、回路分けされて制御部１５に電気的に接続されている。
【００１８】
制御部１５は、第１照明ポール１７内に設けられている。この制御部１５は、人センサー１６が所定領域に人を検知したときに、足元照明部１４を点灯させる。このとき、足元照明部１４は、所定の照明率より高い照明率（歩行者にとって適切な明るさとなる照明率）で点灯させる。また、制御部１５は、人センサー１６が所定領域に人を検知しないときは、足元照明部１４を消灯させ、又は足元照明部１４を所定の照明率で点灯させることができる。本実施形態では、足元照明部１４を消灯させる。
【００１９】
人センサー１６は、人間の所在を検知するものであり、例えば赤外線を利用するもの（センサー内部の素子が人体などから発する赤外線を受けると、その熱エネルギーを吸収して電気を起こす現象を利用する）を使用できる。この人センサー１６としては、赤外線を利用するもの以外に、超音波、レーザー、光等を利用するもの等、各種のものを例示できる。第１照明ポール１７は、表面に文字プレートや、発電量を示す文字、記号、模様等を表示する表示装置等を設けることができる。
【００２０】
次に、この照明装置１の点灯制御方法を、図２を参照して説明する。ソーラーパネル１１は、昼間に、太陽光発電を行う（Ｓ１）。ここで発電された電力は、蓄電池１２に蓄電される（Ｓ２）。次に、制御部１５は、例えば夕方の所定の時間に遠方照明部１３を点灯し、所定領域より遠方を照明する（Ｓ３）。
【００２１】
次に、制御部１５は、人センサー１６が所定領域に人を検知したか否かを判断する（Ｓ４）。ステップ（Ｓ４）で人を検知したと判断した場合（ｙｅｓ）は、次に、制御部１５は、足元照明部１４を所定の照明率より高い照明率で点灯させる（Ｓ５）。次に、ステップ（Ｓ４）以降の処理を繰り返す。また、ステップ（Ｓ４）で所定領域に人を検知しないと判断した場合（ｎｏ）は、次に、制御部１５は、遠方照明部１３の点灯を継続する（Ｓ６）。次に、制御部１５は、朝方、所定の時間に遠方照明部１３を消灯する（Ｓ７）。
【００２２】
本実施形態の照明装置１によれば、人センサー１６が所定領域に人を検知しない場合は、消費電力の少ない遠方照明部１３のみ点灯させる。また、人センサー１６が、所定領域に人を検知した場合のみ、足元照明部１４を所定の照明率より高い照明率（通常の出力）で点灯させる。従って、足元照明部１４を所定の照明率より高い照明率で常時点灯させる場合に比べて、消費電力を大幅に削減できる。なお、人センサー１６が所定領域に人を検知しない場合には、足元照明部１４を所定の照明率（通常より低い出力）で点灯させることができるが、この場合も、足元照明部１４を所定の照明率より高い照明率となる通常の出力で点灯させる場合に比べて消費電力を削減できる。
【００２３】
また、人センサ１６が所定領域に人を検知しないときは、制御部１５は遠方照明部１３を点灯させるので、遠方の歩行者は遠方照明部１３を確実に認識できる。この遠方照明部１３はグレアが小さいので、歩行者は空間の視認性が向上するとともに、明るさと安心感を得ることができる。
【００２４】
また、人センサー１６が所定領域に人を検知した場合は、足元照明部１４が点灯して所定領域を照明するので、歩行者は所定領域内の路面を確実に視認でき、障害物等の有無を認識して安全に行動できる。
【００２５】
更に、この照明装置１は、上記のように消費電力を大幅に削減できるので、ソーラーパネル１１及び蓄電池１２を大幅に小さくできる。従って、照明装置１及びこれを含めた照明システムの低コスト化及びデザイン性の向上を実現できる。また、日照時間の少ない北方地方（例えば、北陸、東北、北海道）等でも、照明装置１及びこれを含めた照明装置システムを大型化することなく使用できる。従って、太陽光発電及び蓄電池を用いた本発明の照明装置１及びこれを含めた照明システムの普及を促進できる。
【００２６】
なお、上記実施形態では、遠方照明部１３及び足元照明部１４を同一の第１照明ポール１７に設け、遠方照明部１３と足元照明部１４とを同一の制御部１５によって制御すると共に、遠方照明部１３と足元照明部１４とに対して同一の蓄電池１２から電気を供給したが、図３に示すように、第１照明ポール１７とは別に第２照明ポール２０を設け、この第２照明ポール２０に、ソーラーパネル１１、蓄電池１２、足元照明部１４及び制御部１５を設けることができる。
【００２７】
第２照明ポール２０は、第１照明ポール１７よりも高さを低くすると共に、第２照明ポール２０に設けた足元照明部１４を、第１照明ポール１７に設けた遠方照明部１３よりも低い位置に設けるのが好ましい。
【００２８】
また、第２照明ポール２０の足元照明部１４とは別に、第１照明ポール１７にも足元照明部１４を設けることができる。この場合は、各足元照明部１４が互いに異なる領域、例えば、互いに隣接する領域を照明するようにできる。これによって、より広い範囲で歩行者に適切な照明を提供できる。
【００２９】
（第２実施形態）
図４は、第２実施形態の照明装置３０を示す。なお、第１実施形態の照明装置１と同様な部分には同一の符号を付けて、詳細な説明を省略する。
【００３０】
この照明装置３０は、第１照明ポール１７に、ソーラーパネル１１、蓄電池１２、制御部１５及び人センサー１６が設けられている。また、第１照明ポール１７とは別に設けられた第２照明ポール３１に、足元照明部１４が設けられている。この第２照明ポール３１の足元照明部１４は、第１照明ポール１７の蓄電池１２及び制御部１５に電気的に接続されている。そして、第２照明ポール３１の足元照明部１４は、第１照明ポールの制御部１５によって制御される。また、第２照明ポール３１の足元照明部１４には、第１照明ポール１７の蓄電池１２から電気が供給される。
【００３１】
なお、第１照明ポール１７に、遠方照明部１３を設けることができる。また、第１照明ポール１７及び第２照明ポール３１とは別に、第３照明ポール（図示せず）を設け、この第３照明ポールに遠方照明部１３を設けることができる。これらの場合、遠方照明部１３も第１照明ポール１７の制御部１５によって点灯制御できる。また、遠方照明部１３に対して、第１照明ポール１７の蓄電池１２から電気を供給できる。
【符号の説明】
【００３２】
１  照明装置
１１  ソーラーパネル
１２  蓄電池
１３  遠方照明部（第１の照明手段）
１３ａ、１４ａ  ＬＥＤ
１３ｂ、１４ｂ  電源ユニット
１４  足元照明部（第２の照明手段）
１５  制御部（点灯制御手段）
１６  人センサー（人検知手段）
１７  第１照明ポール
２０、３１  第２照明ポール
【図１】
0005459665.tif 000002
【図２】
0005459665.tif 000003
【図３】
0005459665.tif 000004
【図４】
0005459665.tif 000005